(57)【要約】【課題】重力式で、部品点数が少なく、構造がシンプルで、製造コストを抑えることができる洗濯物干しフックを提供する。【解決手段】洗濯物を片手の指でつまんでフック部１３の先端を押し上げると、フック部１３の先端は回動し、フック部１３の先端と隣設される縦辺部１１の間に隙間ができる。この隙間に洗濯物を通して、洗濯物の輪になった部分などをフック部１３に通すか、あるいは、洗濯物をフック部１３と隣設される縦辺部１１の間に位置させる。そして、指を下へ移動し、離すと、フック部１３の自重や洗濯物の重みで、フック部１３の先端は逆方向へ回動し、フック部１３の先端は隣設される縦辺部１１に接し、隙間がなくなる。これにより、洗濯物が干せる。【選択図】図１
2009165750.tif 000002
【特許請求の範囲】
【請求項１】
洗濯場に吊り下げられ、あるいは固定されるフレームと、このフレームに略縦方向に設けられ左右に複数が配置される縦辺部と、この縦辺部の下端に基部が回動自在に設けられ、自重により先端が、隣設される縦辺部に接する長さを有するフック部と、を有することを特徴とする洗濯物干しフック。
【請求項２】
前記各縦辺部は、前記フレームの側面から突出する突出部の先端に設けられることを特徴とする請求項１に記載の洗濯物干しフック。
【請求項３】
前記フレームは、合成樹脂で成形され、前記フック部は、全体が金属製、あるいは一部が金属製であり前記回動のモーメントを大きくすることを特徴とする請求項１、又は２に記載の洗濯物干しフック。
【発明の詳細な説明】
【技術分野】
【０００１】
この発明は、洗濯物を片手で干すことができる洗濯物干しフックの構造に関する。
【背景技術】
【０００２】
洗濯物を片手で干すことができれば、洗濯物を干す作業効率が上がり、また、片手が不自由な場合でも作業が行え、便利である。
そのような装置として下記の特許文献１に記載された「軸輪式洗濯ばさみ」がある。この装置は、洗濯物を二つの車輪状の軸輪の間にはさむ。各軸輪の軸は、斜めに形成された長穴に保持されている。そして、洗濯物を片手の指でつまんで二つの軸輪の間へ下方から押し入れると、各軸輪の軸は、斜めの長穴にそって上方へ移動し、二つの軸輪間の距離が広くなるので、洗濯物が入る。そして、指を離すと、軸輪の自重や洗濯物の重みで、各軸輪の軸は、斜めの長穴にそって下方へ移動し、二つの軸輪間の距離が狭くなるので、洗濯物がはさまれる。軸輪の自重などを利用した、いわば重力式である。
【特許文献１】実用新案登録第３０７７３７７
【発明の開示】
【発明が解決しようとする課題】
【０００３】
しかしながら、特許文献１は、１つの洗濯物をはさむのに二つの軸輪などが必要であって部品点数が多くなり、また、軸輪の軸を長孔に安定して保持するための複雑な構造が必要であり、よって、装置は複雑になり、装置の製造コストが大きくなる。
この発明は、以上の問題点を解決するために、重力式で、部品点数が少なく、構造がシンプルで、製造コストを抑えることができる洗濯物干しフックを提供することを目的とする。
【課題を解決するための手段】
【０００４】
以上の課題を解決するために、第一発明は、洗濯場に吊り下げられ、あるいは固定されるフレームと、このフレームに略縦方向に設けられ左右に複数が配置される縦辺部と、この縦辺部の下端に基部が回動自在に設けられ、自重により先端が、隣設される縦辺部に接する長さを有するフック部と、を有することを特徴とする洗濯物干しフックである。
【０００５】
第二発明は、更に、前記各縦辺部は、前記フレームの側面から突出する突出部の先端に設けられることを特徴とする洗濯物干しフックである。
第三発明は、更に、前記フレームは、合成樹脂で成形され、前記フック部は、全体が金属製、あるいは一部が金属製であり前記回動のモーメントを大きくすることを特徴とする請求項１、又は２に記載の洗濯物干しフックである。
【発明の効果】
【０００６】
第一、第二、又は第三発明の洗濯物干しフックによれば、洗濯物をフック部に通すか、あるいは、フック部と隣設される縦辺部の間にはさむことで、干す。
干す作業を行うには、まず、洗濯物を片手の指でつまんでフック部の先端を押し上げる。このときフック部に接するのは、指、または洗濯物のどちらでも良い。洗濯物で押し上げるときは、例えば、指で洗濯物の中ほどをつまみ、指より上に突出させた洗濯物で、フック部を押し上げる。あるいは、指で洗濯物の上部をつまみ、指より下で横に突出させた洗濯物で、フック部を押し上げる。
この押し上げにより、フック部の先端は回動し、フック部の先端と隣設される縦辺部の間に隙間ができる。この隙間に洗濯物を通して、洗濯物の輪になった部分などをフック部に通すか、あるいは、洗濯物をフック部と隣設される縦辺部の間に位置させる。そして、指を下へ移動し、離すと、フック部の自重や洗濯物の重みで、フック部の先端は逆方向へ回動する。そして、フック部の先端は隣設される縦辺部に接し、あるいはフック部の先端は洗濯物をはさんで隣設される縦辺部に接し、隙間がなくなる。これにより、洗濯物が干せる。
【０００７】
この洗濯物干しフックは、フレームの側面の縦辺部と、回動するフック部により構成できるので、部品点数が少なく、構造がシンプルで、製造コストを抑えることができる
第二、又は第三発明によれば、フレームの側面から突出する突出部の先端に縦辺部及びフック部が設けられるので、この突出により、フック部の真上にはフレームが存在しない。よって、縦辺部を短くしても、前述した干す作業で、指で洗濯物をつまんだ状態でフック部を押し上げた際に、指や洗濯物がフレームにぶつかることがない。このため、縦辺部を短くでき、洗濯物干しフックの上下の寸法を小さくできる。
【０００８】
第三発明によれば、更に、フック部の回動のモーメントを大きくすることで、フック部の先端が逆方向へ回動する力が強くなり、洗濯物が干し易くなる。
【発明を実施するための最良の形態】
【０００９】
この発明の実施形態を、図１〜図３に示す。
図１に示すように、この実施形態の洗濯物干しフック１は、水平に位置する四角のフレーム３を有する。このフレーム３は合成樹脂で成形され、その四隅に取り付けられたチェーン５が、中央の係止部７に集められ、この係止部７が洗濯物干し竿などに係止されることで、洗濯場に吊り下げられる。
【００１０】
図１、及び図２に示すように、フレーム３の側面からは突出部９が突出する。この突出部９は、フレーム３に沿って左右に複数が設けられる。この突出部９の先端から下方に、縦辺部１１が、略縦方向に設けられる。よって、縦辺部１１も、左右に複数が配置される。
【００１１】
図１、図２、及び図３に示すように、この縦辺部１１の下端に棒状のフック部１３が設けられる。すなわち、縦辺部１１の下端にはコの字状の断面を有する溝１５が形成され、この溝１５にフック部１３の基部が遊嵌され、溝１５を横断して貫通するピン１７により、縦辺部１１の下端に回動自在に取り付けられる。
【００１２】
このフック部１３は、十分な長さを有し、自重により先端が、隣設される縦辺部１１に接する長さを有する。接した状態で、フック部１３の軸船が水平線となす角度は、１５度である（図３（Ａ）参照）。フック部１３は、全体が金属製で、表面全体が樹脂コーティングされている。金属製とすることで、回動のモーメントを大きくする。
【００１３】
「実施形態の作用」
この実施形態の洗濯物干しフック１によれば、洗濯物１９をフック部１３に通すか、あるいは、フック部１３と隣設される縦辺部１１の間にはさむことで、干すことができる。
すなわち、図２に示すように、干す作業を行うには、まず、洗濯物１９を片手の指２１でつまんでフック部１３の先端を押し上げる（同図中の右側）。このときフック部１３に接するのは、指２１、または洗濯物１９のどちらでも良い。このうち洗濯物１９で押し上げるときは、例えば、指２１で洗濯物１９の中ほどをつまみ、指２１より上に洗濯物１９を突出させる。その突出した洗濯物１９で、フック部１３の先端を押し上げる。あるいは、指２１で洗濯物１９の上部をつまみ、指２１より下も位置で、洗濯物１９の横に突出した部分で、フック部１３の先端を斜めに押し上げる。
この押し上げにより、フック部１３の先端は上方へ回動し、フック部１３の先端と、右側に隣設される縦辺部１１との間に隙間ができる。
【００１４】
この隙間に洗濯物１９を通して、洗濯物１９の輪になった部分などをフック部１３に通す（同図中の左側）。あるいは、洗濯物１９をフック部１３と隣設される縦辺部１１の間に、はさませるように位置させる。
そして、指２１を下へ移動し、洗濯物１９を離す。すると、フック部１３の自重や洗濯物１９の重みで、フック部１３の先端は逆方向、すなわち下方向へ回動する。そして、フック部１３の先端は隣設される縦辺部１１に接する。あるいはフック部１３の先端は洗濯物１９をはさんで隣設される縦辺部１１に接し、隙間がなくなる。
これにより、フック部１３に通した洗濯物１９は、フックから外れない。また、フック部１３と隣設される縦辺部１１の間に、洗濯物１９がはさまる。これにより、洗濯物１９が干せる。
【００１５】
「実施形態の効果」
この洗濯物干しフック１は、フレーム３の側面の縦辺部１１と、回動するフック部１３により構成できるので、部品点数が少ない。また、構造がシンプルで、製造コストを抑えることができる。
【００１６】
また、フレーム３の側面から突出する突出部９の先端に縦辺部１１及びフック部１３が設けられるので、この突出により、フック部１３はオフセットの状態になり、フック部１３の真上にはフレーム３が存在しない。よって、縦辺部１１を短くしても、前述した干す作業で、指２１でつまんだ洗濯物１９を押し上げた際に、指２１あるいは洗濯物１９がフレーム３にぶつかることがない。このため、縦辺部１１を短くでき、洗濯物干しフック１の上下の寸法を小さくできる。
【００１７】
更に、フック部１３を金属製とすることで、回動のモーメントを大きくすることができ、フック部１３の先端が逆方向へ回動する力が強くなり、洗濯物１９が外れ難く、干し易くなる。
【００１８】
「他の実施形態」
以上の実施形態では、縦辺部１１は上下に直線的であり、フック部１３は長手方向へ直線的であった。よって洗濯物１９を通したり、はさんだりする部分は、フレーム３、突出部９、縦辺部１１、及びフック部１３によって囲まれ閉じた略四角形であった。しかし、他の実施形態では、それぞれを必ずしも直線的にする必要はなく、よって四角形ではなく、その他の閉じた形状、すなわち円形や楕円形とすることもできる。例えば、縦辺部１１を逆Ｙ字状とし、フック部１３を略Ｕ字状に湾曲させ、円形や楕円形とするものでも良い。
【００１９】
以上の実施形態では、フレーム３は水平に位置する四角形であったが、他の実施形態では、円形や放射状形など、従来の洗濯物ハンガーが有する形状を採用できる。
以上の実施形態では、フレーム３は吊り下げられるものであったが、他の実施形態では、洗濯場に固定されるものでもよい。
【００２０】
以上の実施形態では、フックは全体が金属製であったが、他の実施形態では、一部が金属製であっても良い。例えば、先端のみを金属製とすることで、モーメントを大きくできる。
以上の実施形態では、突出部９の先端に連続して縦辺部１１の上端を設けるものであったが、他の実施形態では、突出部９の先端に連続して縦辺部１１の中央部を設けるものでも良い。
【００２１】
以上の実施形態では、突出部９によってフック部１３はオフセットの状態になり、フック部１３の真上にはフレーム３が存在しないので、指２１でつまんだ洗濯物１９を押し上げた際に、フレーム３にぶつかることがないものであった。しかし、他の実施形態では、突出部９を設けなくても、縦辺部１１を十分に長くすれば、指２１でつまんだ洗濯物１９を押し上げた際に、フレーム３にぶつかることがない。
【図面の簡単な説明】
【００２２】
【図１】この発明の一実施形態を示す洗濯物干しフックの全体斜視図である。
【図２】図１の一部を拡大して作用を説明する図である。
【図３】（Ａ）は図１の一部の正面図、（Ｂ）は（Ａ）の平面図、（Ｃ）は（Ａ）の側面図である。
【符号の説明】
【００２３】
１…洗濯物干しフック、３…フレーム、５…チェーン、７…係止部、９…突出部、１１…縦辺部、１３…フック部、１５…溝、１７…ピン１９・・洗濯物、２１・・指。
【図１】
2009165750.tif 000003
【図２】
2009165750.tif 000004
【図３】
2009165750.tif 000005